(57)【要約】【課題】  施工が容易な雨水の貯留・排水システム及び盛替え施工方法を提供する。【解決手段】  露天型廃棄物処分場の埋立区画１２の周囲に埋立区画１２を囲むように設置されるとともに、隣接するもの同士が互いに連通した状態で接続され、かつ一部が埋立区画１２の外部に連通する複数の側溝ブロック１４と、埋立区画１２の表面の全体を覆うように敷設されるとともに、周縁部が立ち上げられた状態で側溝ブロック１４に固定されて、側溝ブロック１４の内側の部分に雨水を貯留させる貯留池１８ｃを形成する遮水シート１８と、遮水シート１８を上昇させることにより、貯留池１８ｃ内に貯留された雨水を押し上げて側溝ブロック１４側に排水させる排水手段１７とを備える。【選択図】  図１
2006055702.tif 000002
【特許請求の範囲】
【請求項１】
露天型廃棄物処分場の埋立区画の周囲に埋立区画を囲むように設置される側溝ブロック等の立ち上げ部材と、前記埋立区画の表面の全体を覆うように敷設されるとともに、周縁部が立ち上げられた状態で前記立ち上げ部材に固定されて、前記立ち上げ部材で囲まれる部分に雨水を貯留させる貯留池を形成する遮水シートと、前記遮水シートを上昇させることにより、前記貯留池内に貯留された雨水を押し上げて前記埋立区画外に排水させる排水手段とを備えてなることを特徴とする廃棄物処分場における雨等の水の貯留・排水システム。
【請求項２】
露天型廃棄物処分場の埋立区画の周囲に埋立区画を囲むように設置され、高さ調整が可能な排水手段と、前記埋立区画の表面の全体を覆うように敷設されるとともに、周縁部が前記排水手段に固定されて、前記排水手段で囲まれる部分に雨水を貯留させる貯留池を形成する遮水シートとを備え、前記立ち上げ部材の高さを低くすることにより、前記貯留池内に貯留された雨水を前記埋立区画外に排水させることを特徴とする廃棄物処分場における雨等の水の貯留・排水システム。
【請求項３】
前記排水手段は、内部に密閉された空所が設けられる遮水シートと、該遮水シートの空所内に圧縮空気を供給し、又は空所内から圧縮空気を排気させる給排気源とからなり、前記給排気源の作動によって前記空所内に圧縮空気を供給して、前記遮水シートを膨張変形させることにより、前記貯留池内の雨水が押し上げられて前記埋立区画外に排水されることを特徴とする請求項１又は２に記載の廃棄物処分場における雨等の水の貯留・排水システム。
【請求項４】
前記排水手段は、露天型廃棄物処分場の法面に沿って敷設されるとともに、下端部が法尻に連続する埋立地盤上を沿わされ、この状態で端部が法尻から所定の距離隔てた位置に設置されている前記立ち上げ部材に固定される遮水シートの前記埋立地盤上に位置する部分に設けられる袋状部と、該袋状部の内部に形成される密閉された空所内に圧縮空気を供給し、又は空所内から圧縮空気を排気させる給排気源とからなることを特徴とする請求項１又は２に記載の廃棄物処分場における雨等の水の貯留・排水システム。
【請求項５】
前記排水手段は、前記遮水シートと前記埋立地盤との間に設けられる少なくとも１つの袋状物と、該袋状物の内部に設けられる密閉された空所内に圧縮空気を供給し、又は空所内から圧縮空気を排気させる給排気源とからなることを特徴とする請求項１又は２に記載の廃棄物処分場における雨等の水の貯留・排水システム。
【請求項６】
前記排水手段は、露天型廃棄物処分場の法面に沿って敷設されるとともに、下端部が法尻に連続する埋立地盤上を沿わされ、この状態で端部が法尻から所定の距離隔てた位置に設置されている前記立ち上げ部材に固定される遮水シートの前記埋立地盤上に位置する部分と前記埋立地盤との間に設置される少なくとも１つの袋状物と、該袋状物の内部に形成される密閉された空所内に圧縮空気を供給し、又は空所内から圧縮空気を排気させる給排気源とからなることを特徴とする請求項１又は２に記載の廃棄物処分場における雨等の水の貯留・排水システム。
【請求項７】
前記遮水シート又は前記排水手段と前記埋設地盤との間に電気マット等の発熱体を備え、降雪を融雪することを特徴とする請求項１から６の何れかに記載の廃棄物処分場における雨等の水の貯留・排水システム。
【請求項８】
請求項１から７の何れかに記載の廃棄物処分場における雨水の貯留・排水システムを備えた廃棄物処分場の盛替え施工方法であって、
前記排水手段を作動させることにより、前記遮水シートを介して貯留池内の雨水を押し上げて貯留池内から前記埋立区画外へ流出させ、この後に、遮水シート及び立ち上げ部材若しくは遮水シート、立ち上げ部材及び袋状物、又は遮水シート若しくは遮水シート及び袋状物を撤去し、覆土を取り除いて廃棄物層の表面を露出させ、この廃棄物層の上部に新たな廃棄物を搬入して堆積させ、この後に、取り除いた覆土を廃棄物層の上部に戻して整地して覆土層を形成し、この後に、
埋立区画の周囲に埋立区画を囲むように立ち上げ部材又は排水手段を設置し、埋立区画の表面を覆うように遮水シート又は袋状物及び遮水シートを敷設し、遮水シートの周縁部を立ち上げ部材又は排水手段に固定することを特徴とする廃棄物処分場の盛替え施工方法。
【発明の詳細な説明】
【技術分野】
【０００１】
本発明は、廃棄物処分場における雨水の貯留・排水システム及び廃棄物処分場の盛替え施工方法に関し、特に、露天型処分場において、降雨により埋立地盤内部に雨水が浸透することを防止する方法の改良に関する。
【背景技術】
【０００２】
クローズ型廃棄物処分場では、処分場用地の上部を天蓋で覆う構造であり、降雨による雨水の用地内浸透がなく、浸出水処理設備の負担が小さい反面、建設費が高価であり、広大な処分場には適合しにくい。また、水分や空気を内部供給することによる生物学的な分解処理を人工的な設備を用いて行わなければならず、維持費も高い。  
これに対し、露天型廃棄物処分場は、敷地面積が小さいものから広大なものまで各種対応でき、建設費が安価であり、露天であるため廃棄物の生物学的分解なども降雨などの自然現象をそのまま利用して行うことができる。
【０００３】
ところで、降雨そのものは自然現象であり、集中豪雨など一時的に大雨が降った場合に十分管理できないばかりか、浸出水処理設備の負荷が一時的に大きなものとなる。  
そこで、このような露天型廃棄物処分場においては、廃棄物内部に対する雨水の浸出を防止して、浸出水処理設備の負担を軽減する対策として、埋立区画の表面を遮水シートで覆うことが行われている。
【０００４】
また、埋立区画の周縁部に排水用側溝を掘削し、埋立区画表面に降り注いだ雨水を排水用側溝を通じて外部に排水することが必要であることから、側溝掘削後に、埋立区画の表面及び排水用側溝の上部を遮水シートで覆い、風などにあおられないように土嚢等の重しで固定している。
【０００５】
また、埋立区画が平坦地である場合には、水がシート上に溜まってしまうため、排水溝側に向けて人工的な勾配を付加するために、シートの下面に複数の空気袋を配置し、シート上に雨水が滞留したら空気袋を膨張させ、遮水シートを持ち上げることで、排水溝側に強制的に流入させる方法も開発されている（例えば、特許文献１参照。）。
【０００６】
いずれの方法も安価に行うことができ、雨水の大部分は内部にしみ込むことなく表面を伝わって外部に流下するため、浸出水処理設備の負荷を軽減できる。
【特許文献１】特開平１１−５７６４４号公報
【発明の開示】
【発明が解決しようとする課題】
【０００７】
しかしながら、以上の方法では、埋立途中にある廃棄物処分場の表面を遮水シートで覆っている場合には、一旦該当する区画の遮水シートを剥がした後、埋立と覆土及び整地作業を行い、区画毎に排水用側溝を掘削した後、再度遮水シートで覆う作業を埋立完了まで繰り返す必要がある。
【０００８】
すなわち、埋立作業毎に排水用側溝の盛替え作業が必要となり、施工が面倒であり、側溝の面積分埋立て面積が縮小されるものとなっていた。加えて、前述のごとく、降雨は自然現象であるため、一時的に多量の降雨だけでなく、干天が続く場合もあり、このような場合においても、自然現象を有効に利用できないことになる。
【０００９】
本発明は、以上の課題を解決するものであり、側溝の掘削作業がなく、盛替え毎の施工を容易にし、また遮水シート上に雨水を貯留し、これを有効活用できるようにした廃棄物処分場における雨水の貯留・排出方法及び廃棄物処分場の盛替え施工方法を提供するものである。
【課題を解決するための手段】
【００１０】
本発明は、上記のような課題を解決するために、以下のような手段を採用している。
【００１１】
請求項１に係る発明は、露天型廃棄物処分場の埋立区画の周囲に埋立区画を囲むように設置される側溝ブロック等の立ち上げ部材と、前記埋立区画の表面の全体を覆うように敷設されるとともに、周縁部が立ち上げられた状態で前記立ち上げ部材に固定されて、前記立ち上げ部材で囲まれる部分に雨水を貯留させる貯留池を形成する遮水シートと、前記遮水シートを上昇させることにより、前記貯留池内に貯留された雨水を押し上げて前記埋立区画外に排水させる排水手段とを備えてなることを特徴とする。
【００１２】
請求項２に係る発明は、露天型廃棄物処分場の埋立区画の周囲に埋立区画を囲むように設置され、高さ調整が可能な排水手段と、前記埋立区画の表面の全体を覆うように敷設されるとともに、周縁部が前記排水手段に固定されて、前記排水手段で囲まれる部分に雨水を貯留させる貯留池を形成する遮水シートとを備え、前記立ち上げ部材の高さを低くすることにより、前記貯留池内に貯留された雨水を前記埋立区画外に排水させることを特徴とする。
【００１３】
請求項３に係る発明は、請求項１又は２に記載の廃棄物処分場における雨等の水の貯留・排水システムにおいて、前記排水手段は、内部に密閉された空所が設けられる遮水シートと、該遮水シートの空所内に圧縮空気を供給し、又は空所内から圧縮空気を排気させる給排気源とからなり、前記給排気源の作動によって前記空所内に圧縮空気を供給して、前記遮水シートを膨張変形させることにより、前記貯留池内の雨水が押し上げられて前記埋立区画外に排水されることを特徴とする。
【００１４】
請求項４に係る発明は、請求項１又は２に記載の廃棄物処分場における雨等の水の貯留・排水システムにおいて、前記排水手段は、露天型廃棄物処分場の法面に沿って敷設されるとともに、下端部が法尻に連続する埋立地盤上を沿わされ、この状態で端部が法尻から所定の距離隔てた位置に設置されている前記立ち上げ部材に固定される遮水シートの前記埋立地盤上に位置する部分に設けられる袋状部と、該袋状部の内部に形成される密閉された空所内に圧縮空気を供給し、又は空所内から圧縮空気を排気させる給排気源とからなることを特徴とする。
【００１５】
請求項５に係る発明は、請求項１又は２に記載の廃棄物処分場における雨等の水の貯留・排水システムにおいて、前記排水手段は、前記遮水シートと前記埋立地盤との間に設けられる少なくとも１つの袋状物と、該袋状物の内部に設けられる密閉された空所内に圧縮空気を供給し、又は空所内から圧縮空気を排気させる給排気源とからなることを特徴とする。
【００１６】
請求項６に係る発明は、請求項１又は２に記載の廃棄物処分場における雨等の水の貯留・排水システムにおいて、前記排水手段は、露天型廃棄物処分場の法面に沿って敷設されるとともに、下端部が法尻に連続する埋立地盤上を沿わされ、この状態で端部が法尻から所定の距離隔てた位置に設置されている前記立ち上げ部材に固定される遮水シートの前記埋立地盤上に位置する部分と前記埋立地盤との間に設置される少なくとも１つの袋状物と、該袋状物の内部に形成される密閉された空所内に圧縮空気を供給し、又は空所内から圧縮空気を排気させる給排気源とからなることを特徴とする。
【００１７】
請求項７に係る発明は、請求項１から６の何れかに記載の廃棄物処分場における雨等の水の貯留・排水システムにおいて、前記遮水シート又は前記排水手段と前記埋設地盤との間に電気マット等の発熱体を備え、降雪を融雪することを特徴とする。
【００１８】
請求項８に係る発明は、請求項１から７の何れかに記載の廃棄物処分場における雨等の水の貯留・排水システムを備えた廃棄物処分場の盛替え施工方法であって、前記排水手段を作動させることにより、前記遮水シートを介して貯留池内の雨水を押し上げて貯留池内から前記埋立区画外へ流出させ、この後に、遮水シート及び立ち上げ部材若しくは遮水シート、立ち上げ部材及び袋状物、又は遮水シート若しくは遮水シート及び袋状物を撤去し、覆土を取り除いて廃棄物層の表面を露出させ、この廃棄物層の上部に新たな廃棄物を搬入して堆積させ、この後に、取り除いた覆土を廃棄物層の上部に戻して整地して覆土層を形成し、この後に、埋立区画の周囲に埋立区画を囲むように立ち上げ部材又は排水手段を設置し、埋立区画の表面を覆うように遮水シート又は袋状物及び遮水シートを敷設し、遮水シートの周縁部を立ち上げ部材又は排水手段に固定することを特徴とする。
【発明の効果】
【００１９】
以上、説明したように、本発明による廃棄物処分場における雨水の貯留・排水システム及び廃棄物処分場の盛替え方法によれば、廃棄物処分場の埋立区画に雨水の貯留・排水システムを構築する場合に、埋立区画の周囲に側溝を掘削する必要がなくなるので、施工が容易となるとともに、側溝が不要となるので、側溝の面積分、埋立区画を有効に利用することができる。
【００２０】
さらに、システムの構築の後の降雨によって貯留池内に雨水が貯留されることにより、遮水シートを押える重石として機能させることができるので、埋立区画の地盤の圧密化を図ることができるとともに、風等によって遮水シートのバタつきを防止できる。さらに、後干天が続いた場合に、貯留池内に貯留されている雨水を他の埋立区画の灌水や散水等の用水として有効に利用することもできる。
【００２１】
さらに、盛替えを行う場合に、排水手段の遮水シートの袋状部又は袋状物を膨張変形させるだけで、貯留池内に貯留されている雨水を容易に排水することができるので、遮水シート、袋状物、側溝ブロック等の撤去が容易となり、施工性を大幅に高めることができる。
【発明を実施するための最良の形態】
【００２２】
以下、本発明の実施の形態について図面を参照しながら説明する。  
図１〜図３には、本発明による廃棄物処分場における雨水の貯留・排水システム及び廃棄物処分場の盛替え施工方法の第１の実施の形態が示されていて、図１は埋立区画の平面図、図２は図１のＡ−Ａ線断面図であって、貯留・排水及び盛替え手順を示す説明図、図３は図１及び図２の側溝ブロックの斜視図である。
【００２３】
すなわち、この実施の形態に示す廃棄物処分場における雨水の貯留・排水システムは、露天型の廃棄物処分場に適用したものであって、図１に示すように、廃棄物処分場の埋立区画１２を囲むように設置される複数の側溝ブロック１４と、埋立区画１２の表面を覆うように敷設されるとともに、周縁部が側溝ブロック１４側に固定される遮水シート１８と、遮水シート１８の上部に貯留された雨水を押し上げて側溝ブロック１４側に排水させる排水手段１７とを備えている。
【００２４】
廃棄物処分場内の地盤１０は、表面が平坦に形成されるとともに、一端から他端にかけて所定の勾配の傾斜面に形成され、この地盤１０上に略矩形状の複数の埋立区画１２、１２……が連続して設けられる。各埋立区画１２の大きさは、特に制限されるものではなく、この実施の形態においては、一辺が７〜１５ｍ程度の矩形状としている。
【００２５】
側溝ブロック１４は、図１に示すように、各埋立区画１２の周囲に各埋立区画１２を囲むように複数設置されている。隣接する側溝ブロック１４、１４間は互いに接続され、これらの複数の側溝ブロック１４、１４……によって、各埋立区画１２の周囲に一連の側溝１５が形成されている。最下位に位置する側溝ブロック１４には排水ピット１６が接続され、側溝１５内を流れる雨水等が排水ピット１６を介して埋立区画１２の外部に排水される。
【００２６】
各側溝ブロック１４は、図３に示すように、プレキャストコンクリート製品からなるフランジ付きのＵ字形の側溝ブロックであって、長手方向の両端部にそれぞれ凹凸からなる継手部１４ａ、１４ｂが設けられ、隣接する側溝ブロック１４の継手部１４ａ、１４ｂの凹凸同士を互いに係合させることにより、隣接する側溝ブロック１４、１４間が軸線を一致させた状態で連結される。
【００２７】
各側溝ブロック１４の両フランジ１４ｃ、１４ｃには、長手方向の両端部にそれぞれ連結用のボルト２４が突設され、これらの連結用のボルト２４を介して一方のフランジ１４ｃに後述する遮水シート１８の周縁部が固定され、他方のフランジ１４ｃに後述する連結シート２０の一端部が固定される。
【００２８】
各埋立区画１２の周囲に設置される複数の側溝ブロック１４、１４……には、埋立区画１２の外形形状に応じた形状のものが使用される。この実施の形態においては、図１に示すように、埋立区画１２の外形形状を矩形状としているので、埋立区画１２の直線部に対応する部分に直線状の側溝ブロック１４を使用し、角部に対応する部分にエルボ状（Ｌ形状）の側溝ブロック１４を使用し、隣接する埋立区画１２、１２の隣接する角部に対応する部分にチーズ状（Ｔ形状）の側溝ブロック１４を使用している。
【００２９】
このように、埋立区画１２の外形形状に応じた形状の側溝ブロック１４を使用することにより、埋立区画１２の周囲に複数の側溝ブロック１４、１４……によって一連の側溝１５を形成することができ、この側溝１５内に流入する雨水をほとんど漏洩することなく、排水ピット１６を介して埋立区画１２の外部に排水することができる。
【００３０】
遮水シート１８は、図２（ａ）〜（ｃ）に示すように、シート状の下シート１９ｂと、下シート１９ｂの上部に重合されるとともに、周縁部が下シート１９ｂの周縁部に熱融着、接着剤等の接合手段によって一体に接合される上シート１９ａとからなる袋状をなすものであって、両シート１９ｂ、１９ａ間に密閉された空所１９ｃが形成される。遮水シート１８の下シート１９ｂ及び上シート１９ａは、各種のゴム、合成樹脂等から形成される。
【００３１】
遮水シート１８の上シート１９ａの一部には、図１に示すように、上シート１９ａを貫通して空所１９ｃ内に連通する給排気口１８ａが設けられている。給排気口１８ａには配管３１を介してコンプレッサー等の給排気源３０が接続され、この給排気源３０の作動により空所１９ｃ内に圧縮空気が供給され、又は空所１９ｃ内から圧縮空気が排気される。
【００３２】
袋状の遮水シート１８と、遮水シート１８の空所１９ｃ内に圧縮空気を供給・排気する給排気源３０とによって排水手段１７が構成され、この排水手段１７の作動によって遮水シート１８を膨張変形又は収縮変形させることにより、遮水シート１８の上部に貯留された雨水を押し上げて側溝１５内に排水させたり、遮水シート１８を元のフラットな状態に復帰させたりすることができる。
【００３３】
遮水シート１８の周縁部の重合部には、図１に示すように、周方向に向かって所定の間隔ごとに環状の鳩目２１（金具）が一体に取り付けられている。遮水シート１８は、図２（ａ）に示すように、周縁部を立ち上げて重合部を各側溝ブロック１４の内側のフランジ１４ｃの上部に位置し、この状態で各鳩目２１内にフランジ１４ｃ側の連結用ボルト２４を挿通させ、各鳩目２１から突出した連結用ボルト２４の部分にナット２６を螺合させて締め付けることにより、周縁部が各側溝ブロック１４側に固定される。図２（ａ）（ｂ）に示すように、遮水シート１８の周縁部を立ち上げた状態で側溝ブロック１４側に固定することにより、遮水シート１８の上部に凹形状の貯留池１８ｃが形成され、この貯留池１８ｃ内に降雨時に雨水が所定量貯留される。
【００３４】
各側溝ブロック１４（隣接する埋立区画１２、１２間の境界部に設置される側溝ブロック１４は除く。）の外側のフランジ１４ｃには、図１及び図２（ａ）〜（ｃ）に示すように、連結シート２０の一端部が連結されている。連結シート２０は、各種のゴム、合成樹脂等から形成されるシート状をなすものであって、一端部に遮水シート１８と同様の構成の鳩目２１が所定の間隔ごとに一体に取り付けられている。
【００３５】
連結シート２０は、一端部を各側溝ブロック１４の他方のフランジ１４ｃの上部に位置し、この状態で各鳩目２１内にフランジ１４ｃ側の連結用ボルト２４を挿通させ、各鳩目２１から突出した連結用ボルト２４の部分にナット２６を螺合させて締め付けることにより、各側溝ブロック１４の外側のフランジ１４ｃの上部に固定される。連結シート２０の他端部は、その上部に固定ブロック２２を載置させることにより、埋立区画１２の周縁部に固定される。
【００３６】
このような構成の連結シート２０で各側溝ブロック１４を固定することにより、各側溝ブロック１４が浮き上がるのを防止することができ、各側溝ブロック１４を各埋立区画１２の周囲に安定した状態で保持することができる。
【００３７】
次に、上記のように構成したこの実施の形態による廃棄物処分場における雨水の貯留・排水システムの作用について説明する。
【００３８】
まず、図２（ａ）に示すように、上記のような構成の遮水シート１８を各埋立区画１２の表面を覆うように敷設し、各埋立区画１２の周囲に複数の側溝ブロック１４、１４……を設置して一連の側溝１５を形成し、遮水シート１８の周縁部を立ち上げて各側溝ブロック１４の内側のフランジ１４ｃに固定し、各側溝ブロック１４の外側に連結シート２０を敷設し、各連結シート２０の一端部を各側溝ブロック１４の外側のフランジ１４ｃに固定し、他端部を側溝ブロック１４の外側の埋立区画１２の上部に固定し、遮水シート１８の上部に凹形状の貯留池１８ｃを形成する。
【００３９】
そして、降雨時には、遮水シート１８によって形成された貯留池１８ｃ内に雨水が貯留され、雨水が遮水シート１８の下方の廃棄物に降り掛かるのが防止される。貯留池１８ｃは、最大水深が側溝ブロック１４の高さにほぼ一致し、貯留池１８ｃ内に最大水深を超える量の雨水が流入した場合には、貯留池１８ｃ内から雨水が溢れ出て側溝１５内に流入し、側溝１５内を勾配に沿って流れて排水ピット１６内に流入し、排水ピット１６から埋立区画１２の外部に排水される。
【００４０】
この場合、隣接する側溝ブロック１４、１４間は、両継手１４ａ、１４ｂの凹凸同士を相互に係合させることによって接続されているので、両者間を完全にシールすることはできず、接続部から雨水が埋立区画１２の廃棄物側に漏洩することになるが、その漏洩量は過小であるので廃棄物の分解に影響を与えたり、周辺の環境に影響を与えたりするようなことはない。
【００４１】
遮水シート１８は、貯留池１８ｃ内に貯留された雨水の水圧により、埋立区画１２の表面を覆った状態に強固に固定されるので、風等によるバタツキが防止される。また、遮水シート１８は、この水圧によって埋立区画１２内の廃棄物の圧密化も行う。さらに、貯留池１８ｃ内に貯留された雨水は、地盤１０が露出した他の埋立区画１２に対する灌水、粉塵防止用の散水等の用水として使用することもできる。
【００４２】
次に、この実施の形態による廃棄物処分場の盛替え施工方法について説明する。  
図２（ｂ）の状態から、埋立区画１２の廃棄物の上部に更に廃棄物を埋め立てるには、まず、図２（ｃ）に示すように、排水手段１７を作動させて貯留池１８ｃ内の雨水を押し上げ、貯留池１８ｃ内から側溝１５内に流入させる。
【００４３】
すなわち、排水手段１７の遮水シート１８の給排気口１８ａに配管３１を介して給排気源３０を接続し、給排気源３０を作動させることにより配管３１及び給排気口１８ａを介して遮水シート１８の空所１９ｃ内に圧縮空気を供給し、遮水シート１８を膨張変形させる。遮水シート１８を膨張変形させることにより、貯留池１８ｃ内に貯留されていた雨水が貯留池１８ｃ内から流出して遮水シート１８の表面を伝わって側溝１５内に流入し、側溝１５内を流れて排水ピット１６内に流入し、排水ピット１６から埋立区画１２の外部に排水される。
【００４４】
また、降雪により貯水池１８ｃ内が積雪している場合においては、遮水シート１８の空所１９ｃ内に温かい圧縮空気を供給し、遮水シート１８を膨張変形させる。すると、温かい圧縮空気の温度が遮水シート１８を介して貯水池１８ｃ内の積雪に伝わり、積雪が融雪して水となって貯留池１８ｃ内から雨水と同様に流出させることが可能である。
【００４５】
そして、貯留池１８ｃ内から雨水を排水した後に、遮水シート１８の周縁部及び連結シート２０の一端部を側溝ブロック１４から取り外し、遮水シート１８、連結シート２０、側溝ブロック１４、及び固定ブロック２２を撤去し、埋立区画１２の表面を露出させる。
【００４６】
ここで、埋立区画１２は、廃棄物層の上部に約３０〜５０ｃｍの覆土層が積層されているので、図２（ｄ）に示すように、覆土層の覆土を掻き出して廃棄物の表面を露出させ、この状態で廃棄物の上部に外部から新たな廃棄物を搬入して堆積させる。そして、廃棄物の搬入が完了した後に、新たな廃棄物の上部に掻き出した覆土を戻して整地して覆土層を形成し、このようにして、埋立区画１２の盛替え作業が完了する。
【００４７】
この後、埋立区画１２の周囲に側溝ブロック１４を設置し、埋立区画１２の表面を覆うように遮水シート１８を敷設し、遮水シート１８の周縁部を側溝ブロック１４側に固定し、連結シート２０を側溝ブロック１４側に固定することにより、再び廃棄物処分場における雨水の貯留・排水システムを構成することができる。
【００４８】
図４には、本発明による廃棄物処分場における雨水の貯留・排水システム及び廃棄物処分場の盛替え施工方法の第２の実施の形態が示されていて、図４（ａ）は貯留池内に雨水が貯留された状態を示す説明図、図４（ｂ）は貯留液内から雨水を排水させた状態を示す説明図である。
【００４９】
すなわち、この実施の形態においては、法面３２及び法面３２に連続する埋立地盤１０の端部に本発明による廃棄物処分場における雨水の貯留・排水システム及び廃棄物処分場の盛替え施工方法を適用したものであって、その他の構成は前記第１の実施の形態に示すものと同様であるので、第１の実施の形態と同一の部分には同一の番号を付してその詳細な説明は省略するものとする。
【００５０】
露天型廃棄物処分場は、周知のように、自然地形を利用したり、地盤の掘削や盛り土を行って造成した凹形状の処分場内に廃棄物を埋め立てるものであるので、法面を伝わって流下する雨水が埋め立てた廃棄物の内部に浸入するのを防止する必要がある。
【００５１】
この実施の形態においては、法面３２に沿って遮水シート１８を敷設し、遮水シート１８の上端部を法面３２の頂部に固定ブロック２２によって固定し、遮水シート１８の下端部を法尻からやや離れた位置の埋立地盤１０上に設置した側溝ブロック１４の内側のフランジ１４ｃに固定している。
【００５２】
この場合、遮水シート１８は、法尻と側溝ブロック１４との間に位置する部分が上シート１９ａと下シート１９ｂとからなる二重構造の袋状部１８ｂに形成され、この袋状部１８ｂの上部に凹形状の貯留池１８ｃが形成される。
【００５３】
遮水シート１８の袋状部１８ｂの内部には密閉された空所１９ｃが設けられ、この空所１９ｃ内外を連通する給排気口（図示せず）が上シート１９ａの一部に設けられ、この給排気口に配管（図示せず）を介して給排気源（図示せず）が接続されている。給排気源と遮水シート１８の袋状部１８ｂとによって貯留池１８ｃ内に貯留された雨水を押し上げて排水させる排水手段１７が構成される。
【００５４】
この実施の形態においては、降雨時に法面３２の遮水シート１８を伝わって流下する雨水は、遮水シート１８の袋状部１８ｂの上部に形成された貯留池１８ｃ内に貯留されるとともに、貯留池１８ｃから溢れ出た雨水は側溝１５内に流入し、側溝１５内を流れて側溝１５に連通する排水ピット（図示せず）内に流入し、排水ピットから埋立区画１２の外部に排水される。
【００５５】
従って、遮水シート１８は、貯留池１８ｃ内に貯留された雨水の水圧によって埋立区画１２の表面を覆った状態に強固に固定されるので、風によるバタツキが防止される。また、遮水シート１８は、この水圧によって埋立区画１２の廃棄物の圧密化も行う。さらに、貯留池１８ｃ内に貯留された雨水は、地盤が露出した他の埋立区画１２に対する灌水、防塵防止用の散水等の用水として利用することもできる。
【００５６】
次に、この実施の形態による廃棄物処分場の盛替え施工方法について説明する。  
図４（ａ）の状態から、埋立区画１２の廃棄物の上部に更に廃棄物を埋め立てるには、図４（ｂ）に示すように、排水手段１７の給排気源（図示せず）を作動させて、遮水シート１８の袋状部１８ｂの空所１９ｃ内に圧縮空気を供給し、袋状部１８ｂを膨張変形させる。
【００５７】
すなわち、遮水シート１８の給排気口（図示せず）に配管を（図示せず）介して給排気源（図示せず）を接続し、給排気源を作動させることにより配管及び給排気口を介して遮水シート１８の袋状部１８ｂの空所１９ｃ内に圧縮空気を供給し、遮水シート１８の袋状部１８ｂを膨張変形させる。遮水シート１８の袋状部１８ｂを膨張変形させることにより、貯留池１８ｃ内に貯留されていた雨水が押し上げられて貯留池１８ｃ内から流出して側溝１５内に流入し、側溝１５内を流れて排水ピット（図示せず）内に流入し、排水ピットから埋立区画１２の外部に排水される。
【００５８】
そして、貯留池１８ｃ内から雨水を排水させた後に、遮水シート１８の周縁部を側溝ブロック１４から取り外し、側溝ブロック１４、固定ブロック２２、及び遮水シート１８を撤去し、埋立区画１２の表面を露出させる。
【００５９】
ここで、埋立区画１２は、第１の実施の形態と同様に、廃棄物層の上部に約３０〜５０ｃｍの覆土層が積層されているので、覆土層の覆土を掻き出して廃棄物の表面を露出させる。そして、この状態で廃棄物の上部に新たな廃棄物を外部から搬入して堆積させる。そして、廃棄物の搬入が完了した後に、新たな廃棄物層の上部に掻き出した覆土を戻して整地して覆土層を形成し、このようにして埋立区画１２の盛替え作業が完了する。
【００６０】
この後、法面３２から所定の距離をおいた埋立地盤１０上に側溝ブロック１４を設置し、法面３２の表面を覆うように遮水シート１８を敷設し、遮水シート１８の上端部を法面３２の頂部に固定ブロック２２により固定し、遮水シート１８の下端部を側溝ブロック１４の内側のフランジ１４ｃに固定することにより、再び廃棄物処分場における雨水の貯留・排水システムを構成することができる。
【００６１】
図５には、本発明による廃棄物処分場における雨水の貯留・排水システム及び廃棄物処分場の盛替え施工方法の第３の実施の形態が示されていて、図５（ａ）は平面図、図５（ｂ）は図５（ａ）のＢ−Ｂ線断面図であって、貯留池内に雨水が貯留された状態を示す説明図、図５（ｃ）は図５（ａ）のＢ−Ｂ線断面図であって、貯留池内から雨水を排水させた状態を示す説明図である。
【００６２】
すなわち、この実施の形態に示す廃棄物処分場における雨水の貯留・排水システムは、廃棄物処分場の埋立区画１２を囲むように設置される複数の側溝ブロック１４と、埋立区画１２の表面を覆うように敷設されるとともに、周縁部が側溝ブロック１４側に固定される遮水シート１８と、遮水シート１８の上部に貯留された雨水を押し上げて側溝ブロック１４側に排水させる排水手段１７とを備えている。
【００６３】
遮水シート１８は、各種のゴム、合成樹脂等から形成されるシート状をなすものであって、周縁部には周方向に向かって所定の間隔ごとに環状の鳩目２１（金具）が一体に取り付けられている。
【００６４】
側溝ブロック１４の内側の埋立区画１２の部分には、側溝ブロック１４に沿って所定の間隔ごとに、かつ上端部が各側溝ブロック１４の上端よりも上方に突出するように、複数の杭２３が打設されている。各杭２３の上端部にはフック２３ａが一体に設けられ、各フック２３ａに遮水シート１８の周縁部の各鳩目２１を掛着させることにより、遮水シート１８が埋立区画１２の表面を覆い、かつ周縁部を立ち上げた状態に固定される。遮水シート１８の周縁部を側溝ブロック１４側に固定することにより、遮水シート１８の上部に凹形状の貯留池１８ｃが形成され、この貯留池１８ｃ内に降雨時に雨水が貯留される。
【００６５】
なお、側溝ブロック１４の基本的な構成は前記第１の実施の形態に示すものと同様であるので、その詳細な説明は省略するものとする。また、この実施の形態においても、前記第１、第２の実施の形態に示すものと同様に、図示はしないが、各側溝ブロック１４のフランジに連結用ボルトを突設し、この連結用ボルトを遮水シート１８の鳩目２１内を挿通させ、鳩目２１から突出させた連結用ボルトの部分にナットを螺合させて締め付けることにより、遮水シート１８の周縁部を側溝ブロック１４側に固定しても良い。
【００６６】
排水手段１７は、遮水シート１８と埋立区画１２との間に設けられる袋状物３５、３６と、袋状物３５、３６内に圧縮空気を供給し、又は袋状物３５、３６内から圧縮空気を排気させるコンプレッサー等の給排気源（図示せず）とから構成されている。
【００６７】
袋状物３５、３６は、埋立区画１２の右半部に設置される第１袋状物３５と、埋立区画１２の左半部に設置される第２袋状物３６とを備えている。第１袋状物３５及び第２袋状物３６は、各種のゴム、合成樹脂等からなる袋状をなすものであって、内部に密閉された空所３５ａ、３６ａが形成されている。第１袋状物３５及び第２袋状物３６の一部には、空所３５ａ、３６ａ内外を貫通する給排気口（図示せず）が設けられ、この給排気口に配管（図示せず）を介して給排気源（図示せず）が接続される。
【００６８】
第１袋状物３５及び第２袋状物３６の形状は、特に制限されるものではなく、この実施の形態においては、収縮時に長方形状をなし、膨張時に円柱状をなすような形状に形成されている。第１袋状物３５及び第２袋状物３６の製造方法は、特に制限されるものではなく、例えば、２枚の長方形状のシート状物を重合させ、周縁部を熱融着、接着剤等の接合手段によって一体に接合することにより袋状に形成する等の方法が挙げられる。
【００６９】
次に、上記のように構成したこの実施の形態による廃棄物処分場における雨水の貯留・排水システムの作用について説明する。  
図５（ｂ）に示すように、降雨時には、遮水シート１８によって形成された貯留池１８ｃ内に雨水が貯留され、雨水が遮水シート１８の下方の廃棄物に降り掛かるのが防止される。貯留池１８ｃは、最大水深が側溝ブロック１４の高さにほぼ一致しているので、貯留池１８ｃ内に最大水深を超える量の雨水が流入した場合には、貯留池１８ｃ内から雨水が溢れ出て側溝１５内に流入する。側溝１５内に流入した雨水は、側溝１５内を勾配に沿って流れて排水ピット（図示せず）内に流入し、排水ピットから埋立区画１２の外部に排水される。
【００７０】
遮水シート１８は、貯留池１８ｃ内に貯留された雨水の水圧により、埋立区画１２の表面を覆った状態に強固に固定されるので、風等によるバタツキが防止される。また、遮水シート１８は、この水圧によって埋立区画１２内の廃棄物の圧密化も行う。さらに、貯留池１８ｃ内に貯留された雨水は、地盤が露出した他の埋立区画１２に対する灌水、粉塵防止用の散水等の用水として使用することもできる。
【００７１】
次に、この実施の形態による廃棄物処分場の盛替え施工方法について説明する。  
図５（ｂ）の状態から、埋立区画１２の廃棄物の上部に更に廃棄物を埋め立てるには、まず、図５（ｃ）に示すように、給排気源（図示せず）を作動させることにより、配管及び給排気口を介して第１袋状物３５の空所３５ａ内に圧縮空気を供給し、第１袋状物３５を膨張変形させる。第１袋状物３５を膨張変形させることにより、その上部に位置している遮水シート１８の部分が押し上げられ、その部分に対応する貯留池１８ｃ内に貯留されていた雨水が一体に押し上げられて貯留池１８ｃから流出して側溝１５内に流入し、側溝１５内を流れて排水ピット（図示せず）内に流入し、排水ピットから埋立区画１２の外部に排水される。この場合、第２袋状物３６の上部に位置している貯留池１８ｃの部分には雨水が貯留されたままの状態となる。
【００７２】
次に、図示はしないが、第１袋状物３５を膨張させたままの状態で、給排気源を作動させることにより配管及び給排気口を介して第２袋状物３６の空所３６ａ内に圧縮空気を供給し、第２袋状物３６を膨張変形させる。第２袋状物３６を膨張変形させることにより、その上部に位置している遮水シート１８の部分が押し上げられ、その部分に対応する貯留池１８ｃ内に貯留されていた雨水が一体に押し上げられて貯留池１８ｃから流出して側溝１５内に流入し、側溝１５内を流れて排水ピット内に流入し、排水ピットから埋立区画１２の外部に排水される。
【００７３】
そして、貯留池１８ｃ内から雨水を完全に排水した後に、遮水シート１８の周縁部を側溝ブロック１４から取り外し、遮水シート１８、第１袋状物３５、第２袋状物３６、側溝ブロック１４、及び杭２３を撤去し、埋立区画１２の表面を露出させる。
【００７４】
そして、埋立区画１２の廃棄物層の上部に積層されている覆土層の覆土を掻き出して廃棄物層の表面を露出させ、この状態で廃棄物層の上部に新たな廃棄物を外部から搬入して堆積させ、廃棄物の搬入が完了した後に、新たな廃棄物層の上部に掻き出した覆土を戻して整地して覆土層を形成し、このようにして埋立区画１２の盛替え作業が完了する。
【００７５】
この後、埋立区画１２の周囲に側溝ブロック１４を設置し、側溝ブロック１４の内側に杭２３を打設し、埋立区画１２の上部に袋状物３５、３６を設置し、その上部に埋立区画１２の表面を覆うように遮水シート１８を敷設し、遮水シート１８の周縁部を側溝ブロック１４の内側の杭２３に固定することにより、再び廃棄物処分場における雨水の貯留・排水システムを構成することができる。
【００７６】
なお、上記の場合、第２袋状物３６を先に膨張変形させ、その後に第１袋状物３５を膨張変形させて、貯留池１８ｃ内の雨水を排水しても良いし、第１袋状物３５と第２袋状物３６の両方を同時に膨張変形させて、貯留池１８ｃ内の雨水を排水させても良い。
【００７７】
また、上記以外の使用方法の一例として、図５（ｃ）に示すように、第１袋状物３５又は第２袋状物３６を膨張変形させた状態に保持し、遮水シート１８の上部の左半部と右端部に貯留池１８ｃ、１８ｃを形成し、この貯留池１８ｃ、１８ｃ内に雨水を貯留させたままの状態とすることにより、風対策として機能させることもできる。
【００７８】
図６には、本発明による廃棄物処分場における雨水の貯留・排水システム及び廃棄物処分場の盛替え施工方法の第４の実施の形態が示されていて、図６（ａ）は平面図、図６（ｂ）は図６（ａ）のＣ−Ｃ線断面図である。
【００７９】
すなわち、この実施の形態に示す廃棄物処分場における雨水の貯留・排水システムは、遮水シート１８と埋立区画１２との間に第１袋状物３５、第２袋状物３６及び第３袋状物３７の３つの袋状物を設置したものであって、その他の構成は前記第３の実施の形態に示すものと同様であるので、第３の実施の形態に示すものと同一の部分には同一の番号を付してその詳細な説明は省略する。
【００８０】
第１袋状物３５、第２袋状物３６及び第３袋状物３７は、コ形状をなすように埋立区画１２の上部に設置される。すなわち、第１袋状物３５と第３袋状物３７とが所定の間隔をおいて対向し、かつ、第１袋状物３５と第３袋状物３７の一端部間に第２袋状物３６が位置するように設置されている。
【００８１】
そして、この実施の形態による廃棄物処分場における雨水の貯留・排水システムにあっても、前記第３の実施の形態に示すものと同様に、降雨時には、遮水シート１８によって形成された貯留池１８ｃ内に雨水が貯留され、雨水が遮水シート１８の下方の廃棄物に降り掛かるのが防止される。貯留池１８ｃは、最大水深が側溝ブロック１４の高さにほぼ一致しているので、貯留池１８ｃに最大水深を超える量の雨水が流入した場合には、貯留池１８ｃから雨水が溢れ出て側溝１５内に流入する。側溝１５内に流入した雨水は、側溝１５内を勾配に沿って流れて排水ピット（図示せず）内に流入し、排水ピットから埋立区画１２の外部に排水される。なお、側溝１５内に流入した雨水を排水ポンプ（図示せず）により埋立区画１２の外部に排水しても良い。
【００８２】
遮水シート１８は、貯留池１８ｃ内に貯留された雨水の水圧により、埋立区画１２の表面を覆った状態に強固に固定されるので、風等によるバタツキが防止される。また、遮水シート１８は、この水圧によって埋立区画１２内の廃棄物の圧密化も行う。さらに、貯留池１８ｃ内に貯留された雨水は、地盤が露出した他の埋立区画１２に対する灌水、粉塵防止用の散水等の用水として使用することもできる。
【００８３】
さらに、この実施の形態による廃棄物処分場の盛替え施工方法を実施し、埋立区画１２の廃棄物の上部に更に廃棄物を埋め立てるには、まず、図６（ｂ）に示すように、第１袋状物３５、第２袋状物３６、第３袋状物３７の順番に圧縮空気を供給して膨張変形させ、それらの袋状物３５、３６、３７の上部に位置している遮水シート１８を上昇させることにより、貯留池１８ｃの周縁部をコ形状に上昇させてその内側の部分に雨水を貯留させ、図中矢印で示すように、雨水をコ形状の開口部から側溝１５内に流入させ、側溝１５を介して排水ピット（図示せず）内に流入させ、排水ピットから埋立区画１２の外部に排水させる。
【００８４】
貯留池１８ｃ内から雨水を排水した後に、遮水シート１８の周縁部を側溝ブロック１４から取り外し、遮水シート１８、第１袋状物３５、第２袋状物３６、第３袋状物３７、側溝ブロック１４、及び杭２３を撤去し、埋立区画１２の表面を露出させる。
【００８５】
そして、埋立区画１２の廃棄物層の上部に積層されている覆土層の覆土を掻き出して廃棄物層の表面を露出させ、この状態で廃棄物層の上部に新たな廃棄物を外部から搬入して堆積させ、廃棄物の搬入が完了した後に、新たな廃棄物層の上部に掻き出した覆土を戻して整地して覆土層を形成し、このようにして埋立区画１２の盛替え作業が完了する。
【００８６】
この後、埋立区画１２の周囲に側溝ブロック１４を設置し、側溝ブロック１４の内側に杭２３を打設し、埋立区画１２の上部に第１袋状物３５、第２袋状物３６及び第３袋状物３７を設置し、その上部に埋立区画１２の表面を覆うように遮水シート１８を敷設し、遮水シート１８の周縁部を立ち上げて側溝ブロック１４の内側の杭２３に固定することにより、再び廃棄物処分場における雨水の貯留・排水システムを構成することができる。
【００８７】
図７には、本発明による廃棄物処分場における雨水の貯留・排水システム及び廃棄物処分場の盛替え施工方法の第５の実施の形態が示されていて、図７（ａ）は概略平面図、図７（ｂ）は図７（ａ）のＤ−Ｄ線断面図である。
【００８８】
すなわち、この実施の形態に示す廃棄物処分場における雨水の貯留・排水システムは、遮水シート１８と埋立区画１２との間に第４袋状物３８、第５袋状物３９及び第６袋状物４０の３つの袋状物を設置したものであって、その他の構成は前記第４の実施の形態に示すものと同様であるので、第４の実施の形態に示すものと同一の部分には同一の番号を付してその詳細な説明は省略する。
【００８９】
第４袋状物３８、第５袋状物３９及び第６袋状物４０は、等間隔に埋立区画１２の上部に設置される。本実施例においては、例えば、３個の袋状物を用いたが埋設区画の広さ、排水量等の関係を考慮して適宜変更可能である。
【００９０】
そして、この実施の形態による廃棄物処分場における雨水の貯留・排水システムにあっても、前記第４の実施の形態に示すものと同様に、降雨時には、遮水シート１８によって形成された貯留池１８ｃ内に雨水が貯留され、雨水が遮水シート１８の下方の廃棄物に降り掛かるのが防止される。貯留池１８ｃは、最大水深が側溝ブロック１４の高さにほぼ一致しているので、貯留池１８ｃに最大水深を超える量の雨水が流入した場合には、貯留池１８ｃから雨水が溢れ出て側溝１５内に流入する。側溝１５内に流入した雨水は、側溝１５内を勾配に沿って流れて排水ピット（図示せず）内に流入し、排水ピットから埋立区画１２の外部に排水される。なお、側溝１５内に流入した雨水を排水ポンプ（図示せず）により埋立区画１２の外部に排水しても良い。
【００９１】
この実施の形態による廃棄物処分場の盛替え施工方法を実施し、埋立区画１２の廃棄物の上部に更に廃棄物を埋め立てるには、まず、図７（ｂ）に示すように、第４袋状物３８、第６袋状物４０、第５袋状物３９の順番に圧縮空気を供給して膨張変形させ、それらの袋状物３８、３９、４０の上部に位置している遮水シート１８を上昇させることにより、袋状物と袋状物との間に雨水を貯留させ、図中矢印で示すように、雨水を袋状物の長手方向（図７（ａ）の左右方向）の開口部のみから側溝１５内に流入させ、袋状物の外周方向（図７（ａ）の上下方向）への雨水の移動を阻止し、側溝１５を介して排水ピット（図示せず）内に流入させ、排水ピットから埋立区画１２の外部に排水させる。
【００９２】
貯留池１８ｃ内から雨水を排水した後に、遮水シート１８の周縁部を側溝ブロック１４から取り外し、遮水シート１８、第４袋状物３８、第５袋状物３９、第６袋状物４０、側溝ブロック１４及び杭２３を撤去し、埋立区画１２の表面を露出させる。
【００９３】
そして、埋立区画１２の廃棄物層の上部に積層されている覆土層の覆土を掻き出して廃棄物層の表面を露出させ、この状態で廃棄物層の上部に新たな廃棄物を外部から搬入して堆積させ、廃棄物の搬入が完了した後に、新たな廃棄物層の上部に掻き出した覆土を戻して整地して覆土層を形成し、このようにして埋立区画１２の盛替え作業が完了する。
【００９４】
この後、埋立区画１２の周囲に側溝ブロック１４を設置し、側溝ブロック１４の内側に杭２３を打設し、埋立区画１２の上部に第４袋状物３８、第５袋状物３９及び第６袋状物４０を設置し、その上部に埋立区画１２の表面を覆うように遮水シート１８を敷設し、遮水シート１８の周縁部を立ち上げて側溝ブロック１４の内側の杭２３に固定することにより、再び廃棄物処分場における雨水の貯留・排水システムを構成することができる。
【００９５】
図８には、本発明による廃棄物処分場における雨水の貯留・排水システム及び廃棄物処分場の盛替え施工方法の第６の実施の形態が示されていて、図８（ａ）は貯留池内に雨水が貯留された状態を示す説明図、図８（ｂ）は貯留液内から雨水を排水させた状態を示す説明図である。
【００９６】
すなわち、この実施の形態に示す廃棄物処分場における雨水の貯留・排水システムは、法面３２に沿って複数枚の遮水シート１８、１８、１８を敷設し、上下方向に隣接する遮水シート１８、１８の端部間を上位に位置するものが上側に位置するように重合させて、重合部に位置する両遮水シート１８、１８の鳩面（図示せず）間を紐（図示せず）によって連結し、最下位に位置する遮水シート１８の下端部を法尻に連続する埋立地盤１０上を沿わせ、その端部を法尻から所定の距離隔てた埋立地盤１０上に設置されている側溝ブロック１４の内側の杭２３に固定し、側溝ブロック１４と法尻との間に位置している遮水シート１８と埋立地盤１０との間に袋状物４１を設置したものであって、その他の構成は前記第２の実施の形態に示すものと同様の構成を有している。なお、図示はしないが、隣接する遮水シート１８、１８の重合部に袋状物を設置し、袋状物を膨張変形させることにより、隣接する遮水シート１８、１８間をシールするようにしても良い。
【００９７】
袋状物４１は、内部に密閉された空所４１ａを有し、この空所４１ａ内外を連通する給排気口（図示せず）が一部に設けられ、この給排気口に配管（図示せず）を介してコンプレッサー等の給排気源（図示せず）が接続され、この給排気源と袋状物４１とによって貯留池１８ｃ内に貯留された雨水を上昇させて排水させる排水手段１７が構成されている。
【００９８】
そして、この実施の形態においても、前記第２の実施の形態に示すものと同様に、降雨時に法面３２の遮水シート１８を伝わって流下する雨水は、遮水シート１８の下端部に形成された貯留池１８ｃ内に貯留されるとともに、貯留池１８ｃから溢れ出た雨水は側溝１５内に流入し、側溝１５内を流れて側溝１５に連通する排水ピット（図示せず）内に流入し、排水ピットから埋立区画１２の外部に排水される。
【００９９】
従って、遮水シート１８は、貯留池１８ｃ内に貯留された雨水の水圧によって埋立区画１２の表面を覆った状態に強固に固定されることになるので、風によるバタツキが防止される。また、遮水シート１８は、この水圧によって埋立区画１２の廃棄物の圧密化も行う。さらに、貯留池１８ｃ内に貯留された雨水は、地盤が露出した他の埋立区画１２に対する灌水、防塵防止用の散水等の用水として利用することもできる。
【０１００】
この実施の形態による廃棄物処分場の盛替え施工方法にあっても、埋立区画１２の廃棄物の上部に更に廃棄物を埋め立てるには、図８（ｂ）に示すように、排水手段１７の給排気源（図示せず）を作動させて、袋状物４１の空所４１ａ内に圧縮空気を供給し、袋状物４１を膨張変形させる。
【０１０１】
袋状物４１ａを膨張変形させると、その上部に位置している遮水シート１８が押し上げられて、その部分に形成されていた貯留池１８ｃ内の雨水が貯留池１８ｃ内から流出して側溝１５内に流入し、側溝１５内を流れて排水ピット（図示せず）内に流入し、排水ピットから埋立区画１２の外部に排水される。
【０１０２】
貯留池１８ｃ内から雨水を排水させた後に、遮水シート１８の周縁部を杭２３から取り外し、側溝ブロック１４、杭２３、遮水シート１８、袋状物４１を撤去し、埋立区画１２の表面を露出させる。
【０１０３】
そして、廃棄物層の上部の覆土層の覆土を掻き出して廃棄物の表面を露出させ、廃棄物の上部に新たな廃棄物を外部から搬入して堆積させ、廃棄物の搬入が完了した後に、新たな廃棄物の上部に掻き出した覆土を戻して整地して覆土層を形成し、このようにして、埋立区画１２の盛替え作業が完了する。
【０１０４】
この後、法面３２から所定の距離をおいた埋立地盤１０上に側溝ブロック１４を設置し、その内側に杭２３を打設し、側溝ブロック１４と法尻との間の埋立地盤１０上に袋状物４１を設置し、法面３２の表面を覆うように遮水シート１８を敷設し、遮水シート１８の上端部を法面３２の頂部に杭２３により固定し、遮水シート１８の下端部を側溝ブロック１４の内側の杭２３に固定することにより、再び廃棄物処分場における雨水の貯留・排水システムを構成することができる。
【０１０５】
図９には、本発明による廃棄物処分場における融雪水の貯留・排水システム及び廃棄物処分場の盛替え施工方法の第７の実施の形態が示されていて、図９（ａ）は概略平面図、図９（ｂ）は図９（ａ）のＥ−Ｅ線断面図である。
【０１０６】
すなわち、この実施の形態に示す廃棄物処分場における融雪水の貯留・排水システムは、遮水シート１８と埋立区画１２との間に通電により熱を発生する電気マット５０を設置し、遮水シート１８上の降雪を電気マット５０が発する熱により融雪させるものであって、その他の構成は前記第１の実施の形態に示すものと同様であるので、第１の実施の形態に示すものと同一の部分には同一の番号を付してその詳細な説明は省略する。
【０１０７】
電気マット５０の表面には電熱線５１が等間隔に配設され、防水処理されている。  
そして、この実施の形態による廃棄物処分場における融雪水の貯留・排水システムにあっては、降雪は、遮水シート１８によって形成された貯留池１８ｃ内で電気マット５０の熱により融雪し、貯留される。貯留池１８ｃは、最大水深が側溝ブロック１４の高さにほぼ一致しているので、貯留池１８ｃに最大水深を超える量の降雪があった場合には、貯留池１８ｃから融雪水が溢れ出て側溝１５内に流入する。
【０１０８】
また、貯留池１８ｃ内の貯留水の表面が凍らないように水深、外気温等の影響を考慮して電気マット５０の設定温度は適宜変更可能である。
【０１０９】
この実施の形態による廃棄物処分場の盛替え施工方法を実施し、埋立区画１２の廃棄物の上部に更に廃棄物を埋め立てるには、まず、図９（ｂ）に示すように、排水手段１７を作動させて貯留池１８ｃ内の融雪水を押し上げ、貯留池１８ｃ内から側溝１５内に流入させる。
【０１１０】
そして、貯留池１８ｃ内から融雪水を排水した後に、遮水シート１８及び電気マット５０の周縁部及び連結シート２０の一端部を側溝ブロック１４から取り外し、遮水シート１８、電気マット５０、連結シート２０、側溝ブロック１４及び固定ブロック２２を撤去し、埋立区画１２の表面を露出させる。
【０１１１】
ここで、埋立区画１２は、廃棄物層の上部に約３０〜５０ｃｍの覆土層が積層されているので、覆土層の覆土を掻き出して廃棄物の表面を露出させ、この状態で廃棄物の上部に外部から新たな廃棄物を搬入して堆積させる。そして、廃棄物の搬入が完了した後に、新たな廃棄物の上部に掻き出した覆土を戻して整地して覆土層を形成し、埋立区画１２の盛替え作業が完了する。
【０１１２】
この後、埋立区画１２の周囲に側溝ブロック１４を設置し、埋立区画１２の表面を覆うように電気マット５０、遮水シート１８を敷設し、電気マット５０及び遮水シート１８の周縁部を側溝ブロック１４側に固定し、連結シート２０を側溝ブロック１４側に固定することにより、再び廃棄物処分場における雨水の貯留・排水システムを構成することができる。
【０１１３】
また、本実施例においては電気マットを用いたが埋設区画の広さ、発熱体の発熱量等を考慮して適宜、他の発熱体、例えば、リボン状のヒーター等を使用することが可能である。  そして、電気マット５０は上述したすべての実施例及び下述するすべての実施例において適用することが可能である。
【０１１４】
なお、上述したすべての実施例において側溝ブロック１４を使用しているが、本発明においては、側溝ブロック１４は必須ではない。例えば、埋設区画１２の外部に直接、雨水等を流すことが可能な場合においては、側溝ブロック１４を設置せず杭２３のみを既定の高さになるように配設し、遮水シート１８の空所１９ｃ内に圧縮空気を供給し、遮水シート１８を膨張変形させ埋設区画１２の外部に雨水等を放出することも可能である。  
そこで、以下に、側溝ブロック１４の代わりに袋状物を立ち上げ部材とする実施例を示す。
【０１１５】
図１０には、本発明による廃棄物処分場における雨水の貯留・排水システム及び廃棄物処分場の盛替え施工方法の第８の実施の形態が示されていて、図１０（ａ）は概略平面図、図１０（ｂ）は図１０（ａ）のＦ−Ｆ線断面図である。
【０１１６】
すなわち、この実施の形態に示す廃棄物処分場における雨水の貯留・排水システムは、埋立区画１２の表面を覆うように敷設されるとともに、周縁部が埋立区画１２を囲むように設置される杭２３にて固定される遮水シート６１と、排水手段１７とを備えたものであって、その他の構成は前記第１の実施の形態に示すものと同様であるので、第１の実施の形態に示すものと同一の部分には同一の番号を付してその詳細な説明は省略する。
【０１１７】
遮水シート６１は、図１０（ｂ）に示すように、シート状の下シート６１ｂと、下シート６１ｂの上部に重合されるとともに、周縁部が下シート６１ｂの周縁部に熱融着、接着剤等の接合手段によって一体に接合される上シート６１ａとからなる袋状が遮水シート６１の周端部に形成されており、下シート６１ｂと上シート６１ａと間に密閉された空所６１ｃが形成される。
【０１１８】
この遮水シート６１の上シート６１ａの一部には、給排気口１８ａが設けられている（図示しない）。排水手段１７は、遮水シート６１と空所６１ｃ内に圧縮空気を供給・排気する給排気源３０とによって構成されており、給排気源３０の作動により空所６１ｃ内に圧縮空気が供給され、又は空所６１ｃ内から圧縮空気が排気される。
【０１１９】
この排水手段１７の作動によって空所６１ｃを膨張変形させて空所６１ｃに囲まれた貯留池１８ｃに雨等の水を貯留することができる。降雨時には、貯留池１８ｃ内に雨水が貯留され、雨水が遮水シート６１の下方の廃棄物に降り掛かるのが防止される。貯留池１８ｃは、最大水深が空所６１ｃの高さに一致しているので、貯留池１８ｃに最大水深を超える量の雨水が流入した場合には、貯留池１８ｃから雨水を溢れさせ、埋立区画１２の外部に放出する。
【０１２０】
さらに、この実施の形態による廃棄物処分場の盛替え施工方法を実施し、埋立区画１２の廃棄物の上部に更に廃棄物を埋め立てるには、まず、空所６１ｃ内の圧縮空気を排気して収縮変形させて貯留池１８ｃの周縁部の高さを低くすることにより、貯留池１８ｃ内の雨水を埋立区画１２の外部に流出させる。貯留池１８ｃ内から雨水を流出させた後に、遮水シート６１を撤去し、埋立区画１２の表面を露出させる。
【０１２１】
そして、埋立区画１２の廃棄物層の上部に積層されている覆土層の覆土を掻き出して廃棄物層の表面を露出させ、この状態で廃棄物層の上部に新たな廃棄物を外部から搬入して堆積させ、廃棄物の搬入が完了した後に、新たな廃棄物層の上部に掻き出した覆土を戻して整地して覆土層を形成し、このようにして埋立区画１２の盛替え作業が完了する。
【０１２２】
この後、埋立区画１２の表面を覆うように遮水シート６１を敷設し、空所６１ｃに圧縮空気を供給することにより、再び廃棄物処分場における雨水の貯留・排水システムを構成することができる。
【０１２３】
図１１には、本発明による廃棄物処分場における雨水の貯留・排水システム及び廃棄物処分場の盛替え施工方法の第９の実施の形態が示されていて、図１１（ａ）は貯留池内に雨水が貯留された状態を示す説明図、図１１（ｂ）は貯留液内から雨水を排水させた状態を示す説明図である。
【０１２４】
すなわち、この実施の形態においては、法面３２及び法面３２に連続する埋立地盤１０の端部に本発明による廃棄物処分場における雨水の貯留・排水システム及び廃棄物処分場の盛替え施工方法を適用したものであって、その他の構成は前記第２又は６の実施の形態に示すものと同様であるので、第２又は６の実施の形態と同一の部分には同一の番号を付してその詳細な説明は省略するものとする。
【０１２５】
この実施の形態においては、法面３２に沿って複数枚の遮水シート１８、１８、１８を敷設し、最下位に位置する遮水シート１８の下端部を法尻に連続する埋立地盤１０上を沿わせ、その端部を法尻から所定の距離隔てた埋立地盤１０上に設置されている遮水シート６１に接続し、遮水シート６１の空所６１ｃ内に圧縮空気を供給し膨張させ、空所６１ｃと法尻との間に位置している遮水シート１８上に貯留池１８ｃが形成される。
【０１２６】
そして、降雨時に法面３２の遮水シート１８を伝わって流下する雨水は、遮水シート１８の下端部に形成された貯留池１８ｃ内に貯留されるとともに、貯留池１８ｃから溢れ出た雨水は埋立区画１２の外部に排水される。
【０１２７】
この実施の形態による廃棄物処分場の盛替え施工方法にあっても、埋立区画１２の廃棄物の上部に更に廃棄物を埋め立てるには、排水手段１７の給排気源（図示せず）を作動させて、空所６１ｃ内の圧縮空気を排気して収縮変形させて貯留池１８ｃの端部の高さを低くすることにより、貯留池１８ｃ内の雨水を埋立区画１２の外部に流出させる。
【０１２８】
そして、遮水シート６１及び遮水シート１８を撤去し、埋立区画１２の表面を露出させる。廃棄物層の上部の覆土層の覆土を掻き出して廃棄物の表面を露出させ、廃棄物の上部に新たな廃棄物を外部から搬入して堆積させ、廃棄物の搬入が完了した後に、新たな廃棄物の上部に掻き出した覆土を戻して整地して覆土層を形成し、このようにして、埋立区画１２の盛替え作業が完了する。
【０１２９】
この後、法面３２の最下位に位置する遮水シート１８の下端部を法尻に連続する埋立地盤１０上を沿わせ、その端部を法尻から所定の距離隔てた埋立地盤１０上に設置されている遮水シート６１に接続し、空所６１ｃ内に圧縮空気を供給し膨張させ、空所６１ｃと法尻との間に貯留池１８ｃを形成することにより、再び廃棄物処分場における雨水の貯留・排水システムを構成することができる。
【０１３０】
図１２には、本発明による廃棄物処分場における雨水の貯留・排水システム及び廃棄物処分場の盛替え施工方法の第１０の実施の形態が示されていて、図１２（ａ）は概略平面図、図１２（ｂ）は図１２（ａ）のＧ−Ｇ線断面図である。
【０１３１】
すなわち、この実施の形態に示す廃棄物処分場における雨水の貯留・排水システムは、遮水シート１８と埋立区画１２との間に中空の口字形の第７袋状物７１を設置したものであって、その他の構成は前記第２〜５の実施の形態に示すものと同様であるので、第２〜５の実施の形態に示すものと同一の部分には同一の番号を付してその詳細な説明は省略する。
【０１３２】
遮水シート１８の端部に第７袋状物７１を設け、第７袋状物７１を膨張変形させることにより、膨張変形した第７袋状物７１によって遮水シート１８の中央部に貯留池１８ｃを形成することができる。  
そして、降雨時には貯留池１８ｃ内に雨水が貯留され、雨水が遮水シート１８の下方の廃棄物に降り掛かるのが防止される。貯留池１８ｃは、最大水深が第７袋状物７１の高さに一致しているので、貯留池１８ｃに最大水深を超える量の雨水が流入した場合には、貯留池１８ｃから雨水が溢れ出て、埋立区画１２の外部に放出される。
【０１３３】
さらに、この実施の形態による廃棄物処分場の盛替え施工方法を実施し、埋立区画１２の廃棄物の上部に更に廃棄物を埋め立てるには、まず、第７袋状物７１の圧縮空気を排気して収縮変形させて貯留池１８ｃの周縁部の高さを低くすることにより、貯留池１８ｃ内の雨水を埋立区画１２の外部に流出させる。  
この貯留池１８ｃ内から雨水を流出させた後に、遮水シート１８、第７袋状物７１を撤去し、埋立区画１２の表面を露出させる。
【０１３４】
そして、埋立区画１２の廃棄物層の上部に積層されている覆土層の覆土を掻き出して廃棄物層の表面を露出させ、この状態で廃棄物層の上部に新たな廃棄物を外部から搬入して堆積させ、廃棄物の搬入が完了した後に、新たな廃棄物層の上部に掻き出した覆土を戻して整地して覆土層を形成し、このようにして埋立区画１２の盛替え作業が完了する。  
この後、埋立区画１２の周囲に第７袋状物７１を設置し、その上部に埋立区画１２の表面を覆うように遮水シート１８を敷設することにより、再び廃棄物処分場における雨水の貯留・排水システムを構成することができる。
【０１３５】
図１３には、本発明による廃棄物処分場における雨水の貯留・排水システム及び廃棄物処分場の盛替え施工方法の第１１の実施の形態が示されていて、図１３（ａ）は貯留池内に雨水が貯留された状態を示す説明図、図１３（ｂ）は貯留液内から雨水を排水させた状態を示す説明図である。本実施形態において、第６、８の実施の形態と同一の部分には同一の番号を付してその詳細な説明は省略するものとする。
【０１３６】
すなわち、この実施の形態に示す廃棄物処分場における雨水の貯留・排水システムは、法面３２に沿って複数枚の遮水シート１８を敷設し、最下位に位置する遮水シート１８の下端部を法尻に連続する埋立地盤１０上を沿わせ、その端部を法尻から所定の距離隔てた埋立地盤１０上に設置されている杭２３に固定し、杭２３と法尻との間に位置している遮水シート１８と埋立地盤１０との間に第８袋状物７２を設置したものである。
【０１３７】
第８袋状物７２は、内部に密閉された空所７２ａを有し、この空所７２ａ内外を連通する給排気口（図示せず）が一部に設けられ、この給排気口に配管（図示せず）を介してコンプレッサー等の給排気源（図示せず）が接続される。そして、第８袋状物７２を膨張変形させることにより、膨張変形した第８袋状物７２によって杭２３と法尻との間に貯留池１８ｃが形成される。
【０１３８】
この実施の形態においても、降雨時に法面３２の遮水シート１８を伝わって流下する雨水は、遮水シート１８の下端部に形成された貯留池１８ｃ内に貯留される。  
さらに、この実施の形態による廃棄物処分場の盛替え施工方法を実施し、埋立区画１２の廃棄物の上部に更に廃棄物を埋め立てるには、まず、図１３（ｂ）に示すとおり、第８袋状物７２の圧縮空気を排気して収縮変形させ、第８袋状物７２の高さを低くすることにより、貯留池１８ｃ内の雨水を埋立区画１２の外部に流出させる。  
この貯留池１８ｃ内から雨水を流出させた後に、遮水シート１８、第８袋状物７２を撤去し、埋立区画１２の表面を露出させる。  
そして、埋立区画１２の廃棄物層の上部に積層されている覆土層の覆土を掻き出して廃棄物層の表面を露出させ、この状態で廃棄物層の上部に新たな廃棄物を外部から搬入して堆積させ、廃棄物の搬入が完了した後に、新たな廃棄物層の上部に掻き出した覆土を戻して整地して覆土層を形成し、このようにして埋立区画１２の盛替え作業が完了する。  
この後、法面３２から所定の距離をおいた埋立地盤１０上に第８袋状物７２を設置し、法面３２から第８袋状物７２までの表面を覆うように遮水シート１８を敷設することにより、再び廃棄物処分場における雨水の貯留・排水システムを構成することができる。
【図面の簡単な説明】
【０１３９】
【図１】本発明による廃棄物処分場における雨水の貯留・排水システム及び廃棄物処分場の盛替え施工方法の第１の実施の形態を示した平面図であって、埋立区画の示した平面図である。
【図２】（ａ）から（ｄ）は図１のＡ−Ａ線断面図であって、（ａ）は貯留池内に雨水が貯留されていない状態を示した説明図であり、（ｂ）は貯留池内に雨水が貯留された状態を示した説明図であり、（ｃ）は貯留池内から雨水を排水させた状態を示した説明図であり、（ｄ）は新たな廃棄物を搬入した状態を示した説明図である。
【図３】図１の側溝ブロックの斜視図である。
【図４】本発明による廃棄物処分場における雨水の貯留・排水システム及び廃棄物処分場の盛替え施工方法の第２の実施の形態を示した概略図であって、（ａ）は貯留池内に雨水が貯留された状態を示した説明図であり、（ｂ）は貯留池内から雨水を排水させた状態を示した説明図である。
【図５】本発明による廃棄物処分場における雨水の貯留・排水システム及び廃棄物処分場の盛替え施工方法の第３の実施の形態を示し、（ａ）は概略平面図であり、（ｂ）は（ａ）のＢ−Ｂ線断面図であって、貯留池内に雨水が貯留された状態を示した説明図であり、（ｃ）は（ａ）のＢ−Ｂ線断面図であって、貯留池内から雨水を排水させた状態を示した説明図である。
【図６】本発明による廃棄物処分場における雨水の貯留・排水システム及び廃棄物処分場の盛替え施工方法の第４の実施の形態を示し、（ａ）は概略平面図であり、（ｂ）は（ａ）のＣ−Ｃ線断面図であって、貯留池内から雨水を排水させた状態を示した説明図である。
【図７】本発明による廃棄物処分場における雨水の貯留・排水システム及び廃棄物処分場の盛替え施工方法の第５の実施の形態を示し、（ａ）は概略平面図であり、（ｂ）は（ａ）のＤ−Ｄ線断面図であって、貯留池内から雨水を排水させた状態を示した説明図である。
【図８】本発明による廃棄物処分場における雨水の貯留・排水システム及び廃棄物処分場の盛替え施工方法の第６の実施の形態を示し、（ａ）は貯留池内に雨水が貯留された状態を示した説明図であり、（ｂ）は貯留池内の雨水を排出する方法を示した説明図である。
【図９】本発明による廃棄物処分場における融雪水の貯留・排水システム及び廃棄物処分場の盛替え施工方法の第７の実施の形態を示し、（ａ）は概略平面図であり、（ｂ）は（ａ）のＥ−Ｅ線断面図である。
【図１０】本発明による廃棄物処分場における雨水の貯留・排水システム及び廃棄物処分場の盛替え施工方法の第８の実施の形態を示し、（ａ）は概略平面図であり、（ｂ）は（ａ）のＦ−Ｆ線断面図である。
【図１１】本発明による廃棄物処分場における雨水の貯留・排水システム及び廃棄物処分場の盛替え施工方法の第９の実施の形態を示し、（ａ）は貯留池内に雨水が貯留された状態を示す説明図であり、（ｂ）は貯留液内から雨水を排水させた状態を示す説明図である。
【図１２】本発明による廃棄物処分場における雨水の貯留・排水システム及び廃棄物処分場の盛替え施工方法の第１０の実施の形態を示し、（ａ）は概略平面図であり、（ｂ）は（ａ）のＧ−Ｇ線断面図である。
【図１３】本発明による廃棄物処分場における雨水の貯留・排水システム及び廃棄物処分場の盛替え施工方法の第１１の実施の形態を示し、（ａ）は貯留池内に雨水が貯留された状態を示す説明図であり、（ｂ）は貯留池内の雨水を排出する方法を示した説明図である。
【符号の説明】
【０１４０】
１０  埋立地盤                        １２  埋立区画
１４  側溝ブロック（＝立ち上げ部材）
１４ａ、１４ｂ  継手部                １４ｃ  フランジ
１５  側溝                            １６  排水ピット
１７  排水手段                        １８  遮水シート
１８ａ  給排気口                      １８ｂ  袋状部
１８ｃ  貯留池                        １９ａ  上シート
１９ｂ  下シート                      １９ｃ  空所
２０  連結シート                      ２１  鳩目
２２  固定ブロック
２３  杭（＝立ち上げ部材）            ２３ａ  フック
２４  連結用ボルト                    ２６  ナット
３０  給排気源
３１  配管                            ３２  法面
３５  第１袋状物                      ３５ａ  空所
３６  第２袋状物                      ３６ａ  空所
３７  第３袋状物                      ３７ａ  空所
３８  第４袋状物                      ３８ａ  空所
３９  第５袋状物                      ３９ａ  空所
４０  第６袋状物                      ４０ａ  空所
４１  袋状物                          ４１ａ  空所
５０  電気マット                      ５１  電熱線
６１  遮水シート                      ６１ａ  上シート
６１ｂ  下シート                      ６１ｃ  空所
７１  第７袋状物
７２  第８袋状物                      ７２ａ  空所
【図１】
2006055702.tif 000003
【図２】
2006055702.tif 000004
【図３】
2006055702.tif 000005
【図４】
2006055702.tif 000006
【図５】
2006055702.tif 000007
【図６】
2006055702.tif 000008
【図７】
2006055702.tif 000009
【図８】
2006055702.tif 000010
【図９】
2006055702.tif 000011
【図１０】
2006055702.tif 000012
【図１１】
2006055702.tif 000013
【図１２】
2006055702.tif 000014
【図１３】
2006055702.tif 000015